【手続補正書】
【提出日】平成19年10月3日(2007.10.3)
【手続補正１】
【補正対象書類名】明細書
【補正対象項目名】発明の名称
【補正方法】変更
【補正の内容】
【発明の名称】マルチチャンネル表示用データ作成装置
【手続補正２】
【補正対象書類名】明細書
【補正対象項目名】特許請求の範囲
【補正方法】変更
【補正の内容】
【特許請求の範囲】
【請求項１】  複数チャンネルのＡＶデータを表示する複数画面から構成されているマルチ画面にＡＶデータを表示するためのデータを作成するマルチチャンネル表示用データ作成装置であって、
トランスポートストリームのトランスポートパケットを利用して送られてくる、複数チャンネルのＡＶデータを入力する入力手段と、
前記複数画面に表示する複数のチャンネルのＰＣＲを時分割で抽出する、前記複数の画面の数より少ない個数のＰＣＲ抽出手段と、
前記抽出されたＰＣＲを利用して、ＰＬＬ同期をとる、前記複数の画面の数と同じ個数のＰＬＬ手段と、
前記ＰＬＬ手段の発信周波数で前記複数の画面に表示するチャンネルの時刻をカウントする、前記複数の画面の数と同じ個数のＳＴＣカウンタ手段と、
前記マルチ画面に表示するチャンネルのＡＶデータを前記ＳＴＣカウンタ手段とＡＶ同期をとりながら、ＡＶデコードするＡＶデコード手段と、
前記ＡＶデコードされたＡＶデータを出力する出力手段とを備え、
前記出力されたＡＶデータは、前記マルチ画面で表示されることを特徴とするマルチチャンネル表示用データ作成装置。
【請求項２】  ＡＶデータの映像を表示し、そのＡＶデータの音声をメインスピーカに出力する親画面と、ＡＶデータの映像を表示し、そのＡＶデータの音声を前記メインスピーカに出力しない子画面から構成されているマルチ画面に複数チャンネルのＡＶデータを表示するためのデータを作成するマルチチャンネル表示用データ作成装置であって、
トランスポートストリームのトランスポートパケットを利用して送られてくる、複数チャンネルのＡＶデータを入力する入力手段と、
前記複数チャンネルのうち、前記親画面に表示するチャンネルのＰＣＲを抽出するＰＣＲ抽出手段と、
前記抽出されたＰＣＲを利用して、ＰＬＬ同期をとるＰＬＬ手段と、
前記ＰＬＬ手段の発信周波数で前記親画面に表示するチャンネルの時刻をカウントするＳＴＣ（Ｓｙｓｔｅｍ  Ｔｉｍｅ  Ｃｌｏｃｋ）カウンタ手段と、
前記親画面に表示するチャンネルのＡＶデータについては、前記ＳＴＣカウンタ手段とＡＶ同期をとりながら、ＡＶデコードし、前記子画面に表示するチャンネルのＡＶデータについては、ＡＶ同期をとらずにＡＶデコードするＡＶデコード手段と、
前記ＡＶデコードされたＡＶデータを出力する出力手段とを備え、
前記出力されたＡＶデータは、前記マルチ画面で表示されることを特徴とするマルチチャンネル表示用データ作成装置。
【請求項３】  ＡＶデータの映像を表示し、そのＡＶデータの音声をメインスピーカに出力する親画面と、ＡＶデータの映像を表示し、そのＡＶデータの音声を前記メインスピーカに出力しない子画面から構成されているマルチ画面に複数チャンネルのＡＶデータを表示するためのデータを作成するマルチチャンネル表示用データ作成装置であって、
トランスポートストリームのトランスポートパケットを利用して送られてくる、複数チャンネルのＡＶデータを入力する入力手段と、
前記複数チャンネルのうち、前記親画面に表示するチャンネルのＰＣＲを抽出し、新たにチャンネルが選択され、前記子画面にそのチャンネルのＡＶデータが最初に表示される時に、所定の時間だけ、前記子画面に表示するチャンネルのＰＣＲを抽出する１個のＰＣＲ抽出手段と、
前記抽出されたＰＣＲを利用して、ＰＬＬ同期をとるＰＬＬ手段と、
前記ＰＬＬ手段の発信周波数で前記親画面に表示するチャンネルの時刻をカウントし、新たにチャンネルが選択され、前記子画面にそのチャンネルのＡＶデータが最初に表示される時に、所定の時間だけ、そのＰＣＲを用いてそのチャンネルの時刻を再現するＳＴＣ（Ｓｙｓｔｅｍ  Ｔｉｍｅ  Ｃｌｏｃｋ）カウンタ手段と、
前記親画面に表示するチャンネルのＡＶデータについては、前記ＳＴＣカウンタ手段とＡＶ同期をとりながら、ＡＶデコードし、新たにチャンネルが選択され、前記子画面にそのチャンネルのＡＶデータが最初に表示される時に、所定の時間だけ、そのチャンネルのＡＶデータについてＡＶ同期を取りながらＡＶデコードするＡＶデコード手段と、
前記ＡＶデコードされたＡＶデータを出力する出力手段とを備え、
前記出力されたＡＶデータは、前記マルチ  画面で表示されることを特徴とするマルチチャンネル表示用データ作成装置。
【請求項４】  ＡＶデータの映像を表示し、そのＡＶデータの音声をメインスピーカに出力する親画面と、ＡＶデータの映像を表示し、そのＡＶデータの音声を前記メインスピーカに出力しない子画面から構成されているマルチ画面に複数チャンネルのＡＶデータを表示するためのデータを作成するマルチチャンネル表示用データ作成装置であって、
トランスポートストリームのトランスポートパケットを利用して送られてくる、複数チャンネルのＡＶデータを入力する入力手段と、
前記複数チャンネルのうち、前記親画面に表示するチャンネルのＰＣＲと、前記子画面のうち前記親画面の次候補となっている前記子画面に表示するチャンネルのＰＣＲとを抽出する２個のＰＣＲ抽出手段と、
前記親画面に表示するチャンネルの前記抽出されたＰＣＲと前記親画面の次候補となっている前記子画面に表示するチャンネルのＰＣＲとＰＬＬ同期をとる２個のＰＬＬ手段と、
前記ＰＬＬ手段の発信周波数で前記親画面に表示するチャンネルの時刻と、前記親画面の次候補となっている前記子画面に表示するチャンネルの時刻をカウントする２個のＳＴＣカウンタ手段と、
前記親画面に表示するチャンネルのＡＶデータと前記親画面の次候補となっている前記子画面に表示するチャンネルのＡＶデータについては、前記ＳＴＣカウンタ手段とＡＶ同期をとりながら、ＡＶデコードし、それ以外の前記子画面に表示するチャンネルのＡＶデータについては、ＡＶ同期をとらずにＡＶデコードするＡＶデコード手段と、
前記ＡＶデコードされたＡＶデータを出力する出力手段とを備え、
前記出力されたＡＶデータは、前記マルチ画面で表示されることを特徴とするマルチチャンネル表示用データ作成装置。
【請求項５】  ＡＶデータの映像を表示し、そのＡＶデータの音声をメインスピーカに出力する親画面と、ＡＶデータの映像を表示し、そのＡＶデータの音声を前記メインスピーカに出力しない子画面から構成されているマルチ画面に複数チャンネルのＡＶデータを表示するためのデータを作成するマルチチャンネル表示用データ作成装置であって、
トランスポートストリームのトランスポートパケットを利用して送られてくる、複数チャンネルのＡＶデータを入力する入力手段と、
前記複数チャンネルのうち、前記親画面に表示するチャンネルのＰＣＲと、前記子画面に表示するチャンネルのＰＣＲとを時分割で抽出する１個のＰＣＲ抽出手段と、
前記親画面に表示するチャンネルの前記抽出されたＰＣＲを利用して、ＰＬＬ同期をとる１個のＰＬＬ手段と、
前記ＰＬＬ手段の発信周波数で前記親画面及び前記子画面に表示するチャンネルの時刻をカウントする、前記マルチ画面の画面の数と同じ個数のＳＴＣカウンタ手段と、
前記ＳＴＣカウンタ手段とＡＶ同期をとりながら、ＡＶデコードするＡＶデコード手段と、
前記ＡＶデコードされたＡＶデータを出力する出力手段とを備え、
前記出力されたＡＶデータは、前記マルチ画面で表示されることを特徴とするマルチチャンネル表示用データ作成装置。
【請求項６】  ＡＶデータの映像を表示し、そのＡＶデータの音声をメインスピーカに出力する親画面と、ＡＶデータの映像を表示し、そのＡＶデータの音声を前記メインスピーカに出力しない子画面から構成されているマルチ画面に複数チャンネルのＡＶデータを表示するためのデータを作成するマルチチャンネル表示用データ作成装置であって、
トランスポートストリームのトランスポートパケットを利用して送られてくる、複数チャンネルのＡＶデータを入力する入力手段と、
前記複数チャンネルのうち、前記親画面に表示するチャンネルのＰＣＲと、前記子画面のうち前記親画面の次候補となっている前記子画面に表示するチャンネルのＰＣＲとを抽出する２個のＰＣＲ抽出手段と、
前記抽出されたＰＣＲを利用して、前記親画面に表示するチャンネルとＰＬＬ同期をとる１個のＰＬＬ手段と、
前記ＰＬＬ手段の発信周波数で前記親画面に表示するチャンネルの時刻をカウントする１個のＳＴＣカウンタ手段と、
前記親画面に表示するチャンネルのＡＶデータについては、前記ＳＴＣカウンタ手段とＡＶ同期をとりながら、ＡＶデコードし、前記子画面に表示するチャンネルのＡＶデータについては、ＡＶ同期をとらずにＡＶデコードするＡＶデコード手段と、
前記ＡＶデコードされたＡＶデータを出力する出力手段とを備え、
前記親画面の次候補となっている前記子画面のチャンネルが親画面に切り替えられると、前記ＰＬＬ手段は、それまでに抽出していたＰＣＲを利用してそのチャンネルのＰＬＬ同期をとり、前記ＳＴＣカウンタ手段はそのチャンネルの時刻を再現し、
前記出力されたＡＶデータは、前記マルチ画面で表示されることを特徴とするマルチチャンネル表示用データ作成装置。
【請求項７】  ＡＶデータの映像を表示し、そのＡＶデータの音声をメインスピーカに出力する親画面と、ＡＶデータの映像を表示し、そのＡＶデータの音声を前記メインスピーカに出力しない子画面から構成されているマルチ画面に複数チャンネルのＡＶデータを表示するためのデータを作成するマルチチャンネル表示用データ作成装置であって、
トランスポートストリームのトランスポートパケットを利用して送られてくる、複数チャンネルのＡＶデータを入力する入力手段と、
前記複数チャンネルのうち、前記親画面に表示するチャンネルのＰＣＲと、前記子画面のうち前記親画面の次候補となっている前記子画面に表示するチャンネルのＰＣＲとを抽出する２個のＰＣＲ抽出手段と、
前記抽出されたＰＣＲを利用して、前記親画面に表示するチャンネルとＰＬＬ同期をとる１個のＰＬＬ手段と、
前記ＰＬＬ手段の発信周波数で前記親画面に表示するチャンネルの時刻と、前記子画面のうち前記親画面の次候補となっている前記子画面に表示するチャンネルの時刻をカウントする２個のＳＴＣカウンタ手段と、
前記親画面に表示するチャンネルのＡＶデータと前記親画面の次候補となっている前記子画面に表示するチャンネルのＡＶデータとを前記ＳＴＣカウンタ手段とＡＶ同期をとりながら、ＡＶデコードし、それ以外の前記子画面に表示するチャンネルのＡＶデータについては、ＡＶ同期をとらずにＡＶデコードするＡＶデコード手段と、
前記ＡＶデコードされたＡＶデータを出力する出力手段とを備え、
前記出力されたＡＶデータは、前記マルチ画面で表示されることを特徴とするマルチチャンネル表示用データ作成装置。
【請求項８】  ＡＶデータの映像を表示し、そのＡＶデータの音声をメインスピーカに出力する親画面と、ＡＶデータの映像を表示し、そのＡＶデータの音声を前記メインスピーカに出力しない子画面から構成されているマルチ画面に複数チャンネルのＡＶデータを表示するためのデータを作成するマルチチャンネル表示用データ作成装置であって、
トランスポートストリームのトランスポートパケットを利用して送られてくる、複数チャンネルのＡＶデータを入力する入力手段と、
前記複数チャンネルのうち、前記親画面及び前記子画面に表示するチャンネルのＰＣＲを抽出する、前記マルチ画面の画面の数と同じ個数のＰＣＲ抽出手段と、
前記抽出されたＰＣＲを利用して、前記親画面に表示するチャンネルとＰＬＬ同期をとる１個のＰＬＬ手段と、
前記ＰＬＬ手段の発信周波数で前記親画面及び前記子画面に表示するチャンネルの時刻をカウントする、前記マルチ画面の画面の数と同じ個数のＳＴＣカウンタ手段と、
前記親画面及び子画面に表示するチャンネルのＡＶデータを前記ＳＴＣカウンタ手段とＡＶ同期をとりながら、ＡＶデコードするＡＶデコード手段と、
前記ＡＶデコードされたＡＶデータを出力する出力手段とを備え、
前記出力されたＡＶデータは、前記マルチ画面で表示されることを特徴とするマルチチャンネル表示用データ作成装置。
【請求項９】  ＡＶデータの映像を表示し、そのＡＶデータの音声をメインスピーカに出力する親画面と、ＡＶデータの映像を表示し、そのＡＶデータの音声を前記メインスピーカに出力しない子画面から構成されているマルチ画面に複数チャンネルのＡＶデータを表示するためのデータを作成するマルチチャンネル表示用データ作成装置であって、
トランスポートストリームのトランスポートパケットを利用して送られてくる、複数チャンネルのＡＶデータを入力する入力手段と、
前記複数チャンネルのうち、前記親画面及び前記子画面に表示するチャンネルのＰＣＲを抽出する、前記マルチ画面の画面の数と同じ個数のＰＣＲ抽出手段と、
前記抽出されたＰＣＲを利用して、前記親画面に表示するチャンネルとＰＬＬ同期をとる１個のＰＬＬ手段と、
前記ＰＬＬ手段の発信周波数で前記親画面に表示するチャンネルの時刻をカウントする１個のＳＴＣカウンタ手段と、
前記子画面に表示するチャンネルのＡＶデータのＰＣＲが到着した際に、前記ＳＴＣカウンタ手段の値との差分を計算する差分計算手段と、
前記親画面に表示するチャンネルのＡＶデータについては、前記ＳＴＣカウンタ手段とＡＶ同期をとりながら、ＡＶデコードし、それ以外の前記子画面に表示するチャンネルのＡＶデータについては、前記差分を前記ＳＴＣカウンタ手段のカウント値に加えた値とＡＶ同期をとりながらＡＶデコードするＡＶデコード手段と、
前記ＡＶデコードされたＡＶデータを出力する出力手段とを備え、
前記出力されたＡＶデータは、前記マルチ画面で表示されることを特徴とするマルチチャンネル表示用データ作成装置。
【請求項１０】  ＡＶデータの映像を表示し、そのＡＶデータの音声をメインスピーカに出力する親画面と、ＡＶデータの映像を表示し、そのＡＶデータの音声を前記メインスピーカに出力しない子画面から構成されているマルチ画面に複数チャンネルのＡＶデータを表示するためのデータを作成するマルチチャンネル表示用データ作成装置であって、
トランスポートストリームのトランスポートパケットを利用して送られてくる、複数チャンネルのＡＶデータを入力する入力手段と、
前記複数チャンネルのうち、前記親画面及び前記子画面に表示するチャンネルのＰＣＲを抽出する、前記マルチ画面の画面の数と同じ個数のＰＣＲ抽出手段と、
前記抽出されたＰＣＲを利用して、前記親画面に表示するチャンネルとＰＬＬ同期をとる１個のＰＬＬ手段と、
前記ＰＬＬ手段の発信周波数で前記親画面に表示するチャンネルの時刻をカウントする１個のＳＴＣカウンタ手段と、
前記子画面に表示するチャンネルのＡＶデータのＰＣＲが到着した際に、前記ＳＴＣカウンタ手段の値との差分を計算する差分計算手段と、
前記子画面に表示するチャンネルのＡＶデータについては、そのＡＶデータのタイムスタンプの値を前記差分を差し引いた値に書き替えるタイムスタンプ書き替え手段と、
前記親画面に表示するチャンネルのＡＶデータについては、前記ＳＴＣカウンタ手段とＡＶ同期をとりながら、ＡＶデコードし、それ以外の前記子画面に表示するチャンネルのＡＶデータについては、前記書き替えられたタイムスタンプと前記ＳＴＣカウンタ手段とでＡＶ同期をとりながらＡＶデコードするＡＶデコード手段と、
前記ＡＶデコードされたＡＶデータを出力する出力手段とを備え、
前記出力されたＡＶデータは、前記マルチ画面で表示されることを特徴とするマルチチャンネル表示用データ作成装置。
【請求項１１】  前記ＰＣＲ抽出手段の個数は２個であることに代え、前記ＰＣＲ抽出手段の個数は１個であり、前記ＰＣＲ抽出手段は、前記複数チャンネルのうち、前記親画面に表示するチャンネルのＰＣＲと、前記子画面のうち前記親画面の次候補となっている前記子画面に表示するチャンネルのＰＣＲとを時分割で抽出することを特徴とする請求項４または６または７に記載のマルチチャンネル表示用データ作成装置。
【請求項１２】  前記ＰＬＬ手段は、自らが有する発信器の発信周波数でカウントするカウンタを有し、前記ＰＣＲ抽出手段が最初に抽出した、ＰＬＬ同期をとるべきチャンネルのＰＣＲの値と前記ＰＣＲ抽出手段がそのＰＣＲを抽出した時の前記カウンタのカウント値との第１の差分を求めて保持し、
前記ＰＣＲ抽出手段が２回目以降に抽出した、前記ＰＬＬ同期をとるべきチャンネルのＰＣＲの値と前記ＰＣＲ抽出手段がそのＰＣＲを抽出した時の前記カウンタのカウント値との第２の差分を求め、
前記第１の差分と前記第２の差分との差が少なくなるように発振周波数を制御することを特徴とする請求項２、３、５〜１１のいずれかに記載のマルチチャンネル表示用データ作成装置。
【請求項１３】  複数チャンネルのＡＶデータを表示する複数画面から構成されているマルチ画面にＡＶデータを表示するためのデータを作成するマルチチャンネル表示用データ作成装置であって、
前記複数チャンネルが属する所定の伝送単位毎に、同一のＰＣＲが付加されており、
トランスポートストリームのトランスポートパケットを利用して送られてくる、前記複数チャンネルのＡＶデータを入力する入力手段と、
前記複数画面に表示する前記複数チャンネルが属する前記所定の伝送単位のＰＣＲを前記所定の伝送単位毎に時分割で抽出する、前記複数の画面の数または前記複数の画面に表示する前記複数チャンネルが属する前記所定の伝送単位の数である表示伝送単位数より少ない個数のＰＣＲ抽出手段と、
前記抽出されたＰＣＲを利用して、少なくとも前記所定の伝送単位毎にＰＬＬ同期をとる、前記複数の画面の数または前記表示伝送単位数と同じ個数のＰＬＬ手段と、
前記ＰＬＬ手段の発信周波数で前記複数の画面に表示するチャンネルが属する前記所定の伝送単位毎の時刻をカウントする、前記複数の画面の数または前記表示伝送単位数と同じ個数のＳＴＣカウンタ手段と、
前記複数画面に表示するチャンネルのＡＶデータを前記複数画面に表示するチャンネルが属する前記所定の伝送単位に対応する前記ＳＴＣカウンタ手段とＡＶ同期をとりながら、ＡＶデコードするＡＶデコード手段と、
前記ＡＶデコードされたＡＶデータを出力する出力手段とを備え、
前記出力されたＡＶデータは、前記マルチ画面で表示されることを特徴とするマルチチャンネル表示用データ作成装置。
【請求項１４】  ＡＶデータの映像を表示し、そのＡＶデータの音声をメインスピーカに出力する親画面と、ＡＶデータの映像を表示し、そのＡＶデータの音声を前記メインスピーカに出力しない子画面から構成されているマルチ画面に複数チャンネルのＡＶデータを表示するためのデータを作成するマルチチャンネル表示用データ作成装置であって、
前記複数チャンネルが属する所定の伝送単位毎に、同一のＰＣＲが付加されており、
トランスポートストリームのトランスポートパケットを利用して送られてくる、複数チャンネルのＡＶデータを入力する入力手段と、
前記複数チャンネルのうち、前記親画面に表示するチャンネルが属する前記所定の伝送単位のＰＣＲを抽出するＰＣＲ抽出手段と、
前記抽出されたＰＣＲを利用して、ＰＬＬ同期をとるＰＬＬ手段と、
前記ＰＬＬ手段の発信周波数で前記親画面に表示するチャンネルが属する前記所定の伝送単位の時刻をカウントするＳＴＣ（Ｓｙｓｔｅｍ  Ｔｉｍｅ  Ｃｌｏｃｋ）カウンタ手段と、
前記複数チャンネルのうち、前記親画面に表示するチャンネルが属する前記所定の伝送単位に含まれるチャンネルのＡＶデータについては、前記ＳＴＣカウンタ手段とＡＶ同期をとりながら、ＡＶデコードし、前記子画面に表示するチャンネルのうち前記親画面に表示するチャンネルが属する前記所定の伝送単位には含まれないチャンネルのＡＶデータについては、ＡＶ同期をとらずにＡＶデコードするＡＶデコード手段と、
前記ＡＶデコードされたＡＶデータを出力する出力手段とを備え、
前記出力されたＡＶデータは、前記マルチ画面で表示されることを特徴とするマルチチャンネル表示用データ作成装置。
【請求項１５】  ＡＶデータの映像を表示し、そのＡＶデータの音声をメインスピーカに出力する親画面と、ＡＶデータの映像を表示し、そのＡＶデータの音声を前記メインスピーカに出力しない子画面から構成されているマルチ画面に複数チャンネルのＡＶデータを表示するためのデータを作成するマルチチャンネル表示用データ作成装置であって、
前記複数チャンネルが属する所定の伝送単位毎に、同一のＰＣＲが付加されており、
トランスポートストリームのトランスポートパケットを利用して送られてくる、複数チャンネルのＡＶデータを入力する入力手段と、
前記複数チャンネルのうち、前記親画面に表示するチャンネルが属する前記所定の伝送単位のＰＣＲを抽出し、新たにチャンネルが選択され、前記子画面にそのチャンネルのＡＶデータが最初に表示される時に、所定の時間だけ、前記子画面に表示するチャンネルが属する前記所定の伝送単位のＰＣＲを抽出する１個のＰＣＲ抽出手段と、
前記抽出されたＰＣＲを利用して、ＰＬＬ同期をとるＰＬＬ手段と、
前記ＰＬＬ手段の発信周波数で前記親画面に表示するチャンネルが属する前記所定の伝送単位の時刻をカウントし、新たにチャンネルが選択され、前記子画面にそのチャンネルのＡＶデータが最初に表示される時に、所定の時間だけ、そのチャンネルが属する前記所定の伝送単位のＰＣＲを用いてそのチャンネルの時刻を再現するＳＴＣ（Ｓｙｓｔｅｍ  Ｔｉｍｅ  Ｃｌｏｃｋ）カウンタ手段と、
前記複数チャンネルのうち、前記親画面に表示するチャンネルが属する前記所定の伝送単位に含まれるチャンネルのＡＶデータについては、前記ＳＴＣカウンタ手段とＡＶ同期をとりながら、ＡＶデコードし、新たにチャンネルが選択され、前記子画面にそのチャンネルのＡＶデータが最初に表示される時に、所定の時間だけ、そのチャンネルが属する前記所定の伝送単位に含まれるチャンネルのＡＶデータについてＡＶ同期を取りながらＡＶデコードするＡＶデコード手段と、
前記ＡＶデコードされたＡＶデータを出力する出力手段とを備え、
前記出力されたＡＶデータは、前記マルチ画面で表示されることを特徴とするマルチチャンネル表示用データ作成装置。
【請求項１６】  ＡＶデータの映像を表示し、そのＡＶデータの音声をメインスピーカに出力する親画面と、ＡＶデータの映像を表示し、そのＡＶデータの音声を前記メインスピーカに出力しない子画面から構成されているマルチ画面に複数チャンネルのＡＶデータを表示するためのデータを作成するマルチチャンネル表示用データ作成装置であって、
前記複数チャンネルが属する所定の伝送単位毎に、同一のＰＣＲが付加されており、
トランスポートストリームのトランスポートパケットを利用して送られてくる、複数チャンネルのＡＶデータを入力する入力手段と、
前記複数チャンネルのうち、前記親画面に表示するチャンネルが属する前記所定の伝送単位のＰＣＲと、前記子画面のうち前記親画面の次候補となっている前記子画面に表示するチャンネルが属する前記所定の伝送単位のＰＣＲとを抽出する２個のＰＣＲ抽出手段と、
前記親画面に表示するチャンネルが属する前記所定の伝送単位の前記抽出されたＰＣＲと前記親画面の次候補となっている前記子画面に表示するチャンネルが属する前記所定の伝送単位の前記抽出されたＰＣＲとＰＬＬ同期をとる２個のＰＬＬ手段と、
前記ＰＬＬ手段の発信周波数で前記親画面に表示するチャンネルが属する前記所定の伝送単位の時刻と、前記親画面の次候補となっている前記子画面に表示するチャンネルが属する前記所定の伝送単位の時刻をカウントする２個のＳＴＣカウンタ手段と、
前記複数チャンネルのうち、前記親画面に表示するチャンネルが属する前記所定の伝送単位に含まれるチャンネルのＡＶデータと前記親画面の次候補となっている前記子画面に表示するチャンネルが属する前記所定の伝送単位に含まれるチャンネルのＡＶデータについては、前記ＳＴＣカウンタ手段とＡＶ同期をとりながら、ＡＶデコードし、それ以外の前記子画面に表示するチャンネルのＡＶデータについては、ＡＶ同期をとらずにＡＶデコードするＡＶデコード手段と、
前記ＡＶデコードされたＡＶデータを出力する出力手段とを備え、
前記出力されたＡＶデータは、前記マルチ画面で表示されることを特徴とするマルチチャンネル表示用データ作成装置。
【請求項１７】  ＡＶデータの映像を表示し、そのＡＶデータの音声をメインスピーカに出力する親画面と、ＡＶデータの映像を表示し、そのＡＶデータの音声を前記メインスピーカに出力しない子画面から構成されているマルチ画面に複数チャンネルのＡＶデータを表示するためのデータを作成するマルチチャンネル表示用データ作成装置であって、
前記複数チャンネルが属する所定の伝送単位毎に、同一のＰＣＲが付加されており、
トランスポートストリームのトランスポートパケットを利用して送られてくる、複数チャンネルのＡＶデータを入力する入力手段と、
前記複数チャンネルのうち、前記親画面に表示するチャンネルが属する前記所定の伝送単位のＰＣＲと、前記子画面に表示するチャンネルが属する前記所定の伝送単位のＰＣＲとを前記所定の伝送単位毎に時分割で抽出する１個のＰＣＲ抽出手段と、
前記所定の伝送単位毎に抽出されたＰＣＲのうち前記親画面に表示するチャンネルが属する前記所定の伝送単位のＰＣＲを利用して、ＰＬＬ同期をとる１個のＰＬＬ手段と、
前記ＰＬＬ手段の発信周波数で前記親画面及び前記子画面に表示するチャンネルが属する前記所定の伝送単位の時刻をカウントする、前記マルチ画面の画面の数と同じ個数または前記マルチ画面に表示する前記複数チャンネルが属する前記所定の伝送単位の数である表示伝送単位数と同じ個数のＳＴＣカウンタ手段と、
前記複数画面に表示するチャンネルのＡＶデータを前記複数画面に表示するチャンネルが属する前記所定の伝送単位に対応する前記ＳＴＣカウンタ手段とＡＶ同期をとりながら、ＡＶデコードするＡＶデコード手段と、
前記ＡＶデコードされたＡＶデータを出力する出力手段とを備え、
前記出力されたＡＶデータは、前記マルチ画面で表示されることを特徴とするマルチチャンネル表示用データ作成装置。
【請求項１８】  ＡＶデータの映像を表示し、そのＡＶデータの音声をメインスピーカに出力する親画面と、ＡＶデータの映像を表示し、そのＡＶデータの音声を前記メインスピーカに出力しない子画面から構成されているマルチ画面に複数チャンネルのＡＶデータを表示するためのデータを作成するマルチチャンネル表示用データ作成装置であって、
前記複数チャンネルが属する所定の伝送単位毎に、同一のＰＣＲが付加されており、
トランスポートストリームのトランスポートパケットを利用して送られてくる、複数チャンネルのＡＶデータを入力する入力手段と、
前記複数チャンネルのうち、前記親画面に表示するチャンネルが属する前記所定の伝送単位のＰＣＲと、前記子画面のうち前記親画面の次候補となっている前記子画面に表示するチャンネルが属する前記所定の伝送単位のＰＣＲとを抽出する２個のＰＣＲ抽出手段と、
前記抽出されたＰＣＲを利用して、ＰＬＬ同期をとる１個のＰＬＬ手段と、
前記ＰＬＬ手段の発信周波数で前記親画面に表示するチャンネルが属する前記所定の伝送単位の時刻をカウントする１個のＳＴＣカウンタ手段と、
前記複数のチャンネルのうち、前記親画面に表示するチャンネルが属する前記所定の伝送単位に含まれるチャンネルのＡＶデータについては、前記ＳＴＣカウンタ手段とＡＶ同期をとりながら、ＡＶデコードし、前記子画面に表示するチャンネルのうち、前記親画面に表示するチャンネルが属する前記所定の伝送単位に含まれないチャンネルのＡＶデータについては、ＡＶ同期をとらずにＡＶデコードするＡＶデコード手段と、
前記ＡＶデコードされたＡＶデータを出力する出力手段とを備え、
前記親画面の次候補となっている前記子画面のチャンネルが親画面に切り替えられると、前記ＰＬＬ手段は、それまでに抽出していたＰＣＲを利用してそのチャンネルが属する前記所定の伝送単位のＰＬＬ同期をとり、前記ＳＴＣカウンタ手段はそのチャンネルが属する前記所定の伝送単位の時刻を再現し、
前記出力されたＡＶデータは、前記マルチ画面で表示されることを特徴とするマルチチャンネル表示用データ作成装置。
【請求項１９】  ＡＶデータの映像を表示し、そのＡＶデータの音声をメインスピーカに出力する親画面と、ＡＶデータの映像を表示し、そのＡＶデータの音声を前記メインスピーカに出力しない子画面から構成されているマルチ画面に複数チャンネルのＡＶデータを表示するためのデータを作成するマルチチャンネル表示用データ作成装置であって、
前記複数チャンネルが属する所定の伝送単位毎に、同一のＰＣＲが付加されており、
トランスポートストリームのトランスポートパケットを利用して送られてくる、複数チャンネルのＡＶデータを入力する入力手段と、
前記複数チャンネルのうち、前記親画面に表示するチャンネルが属する前記所定の伝送単位のＰＣＲと、前記子画面のうち前記親画面の次候補となっている前記子画面に表示するチャンネルが属する前記所定の伝送単位のＰＣＲとを抽出する２個のＰＣＲ抽出手段と、
前記抽出されたＰＣＲを利用して、前記親画面に表示するチャンネルが属する前記所定の伝送単位のＰＬＬ同期をとる１個のＰＬＬ手段と、
前記ＰＬＬ手段の発信周波数で前記親画面に表示するチャンネルが属する前記所定の伝送単位の時刻と、前記子画面のうち前記親画面の次候補となっている前記子画面に表示するチャンネルが属する前記所定の伝送単位の時刻をカウントする２個のＳＴＣカウンタ手段と、
前記複数チャンネルのうち、前記親画面に表示するチャンネルが属する前記所定の伝送単位に含まれるチャンネルのＡＶデータと前記親画面の次候補となっている前記子画面に表示するチャンネルが属する前記所定の伝送単位に含まれるチャンネルのＡＶデータとを前記ＳＴＣカウンタ手段とＡＶ同期をとりながら、ＡＶデコードし、それ以外の前記子画面に表示するチャンネルのＡＶデータについては、ＡＶ同期をとらずにＡＶデコードするＡＶデコード手段と、
前記ＡＶデコードされたＡＶデータを出力する出力手段とを備え、
前記出力されたＡＶデータは、前記マルチ画面で表示されることを特徴とするマルチチャンネル表示用データ作成装置。
【請求項２０】  ＡＶデータの映像を表示し、そのＡＶデータの音声をメインスピーカに出力する親画面と、ＡＶデータの映像を表示し、そのＡＶデータの音声を前記メインスピーカに出力しない子画面から構成されているマルチ画面に複数チャンネルのＡＶデータを表示するためのデータを作成するマルチチャンネル表示用データ作成装置であって、
前記複数チャンネルが属する所定の伝送単位毎に、同一のＰＣＲが付加されており、
トランスポートストリームのトランスポートパケットを利用して送られてくる、複数チャンネルのＡＶデータを入力する入力手段と、
前記複数チャンネルのうち、前記親画面及び前記子画面に表示するチャンネルが属する前記所定の伝送単位のＰＣＲを前記所定の伝送単位毎に抽出する、前記マルチ画面の画面の数と同じ個数または前記マルチ画面に表示する前記複数チャンネルが属する前記所定の伝送単位の数である表示伝送単位数と同じ個数のＰＣＲ抽出手段と、
前記抽出されたＰＣＲを利用して、前記親画面に表示するチャンネルとＰＬＬ同期をとる１個のＰＬＬ手段と、
前記ＰＬＬ手段の発信周波数で前記親画面及び前記子画面に表示するチャンネルが属する前記所定の伝送単位の時刻をカウントする、前記マルチ画面の画面の数と同じ個数または前記表示伝送単位数と同じ個数のＳＴＣカウンタ手段と、
前記複数チャンネルのうち、前記親画面及び子画面に表示するチャンネルが属する前記所定の伝送単位に含まれるチャンネルのＡＶデータを前記ＳＴＣカウンタ手段とＡＶ同期をとりながら、ＡＶデコードするＡＶデコード手段と、
前記ＡＶデコードされたＡＶデータを出力する出力手段とを備え、
前記出力されたＡＶデータは、前記マルチ画面で表示されることを特徴とするマルチチャンネル表示用データ作成装置。
【請求項２１】  ＡＶデータの映像を表示し、そのＡＶデータの音声をメインスピーカに出力する親画面と、ＡＶデータの映像を表示し、そのＡＶデータの音声を前記メインスピーカに出力しない子画面から構成されているマルチ画面に複数チャンネルのＡＶデータを表示するためのデータを作成するマルチチャンネル表示用データ作成装置であって、
前記複数チャンネルが属する所定の伝送単位毎に、同一のＰＣＲが付加されており、
トランスポートストリームのトランスポートパケットを利用して送られてくる、複数チャンネルのＡＶデータを入力する入力手段と、
前記複数チャンネルのうち、前記親画面及び前記子画面に表示するチャンネルが属する前記所定の伝送単位のＰＣＲを前記所定の伝送単位毎に抽出する、前記マルチ画面の画面の数と同じ個数または前記マルチ画面に表示する前記複数チャンネルが属する前記所定の伝送単位の数である表示伝送単位数と同じ個数のＰＣＲ抽出手段と、
前記抽出されたＰＣＲを利用して、前記親画面に表示するチャンネルが属する前記所定の伝送単位のＰＬＬ同期をとる１個のＰＬＬ手段と、
前記ＰＬＬ手段の発信周波数で前記親画面に表示するチャンネルが属する前記所定の伝送単位の時刻をカウントする１個のＳＴＣカウンタ手段と、
前記子画面に表示するチャンネルが属する前記所定の伝送単位に含まれるチャンネルのＡＶデータのＰＣＲが到着した際に、前記ＳＴＣカウンタ手段の値との差分を計算する差分計算手段と、
前記複数チャンネルのうち、前記親画面に表示するチャンネルが属する前記所定の伝送単位に含まれるチャンネルのＡＶデータについては、前記ＳＴＣカウンタ手段とＡＶ同期をとりながら、ＡＶデコードし、それ以外の前記子画面に表示するチャンネルのＡＶデータについては、前記差分を前記ＳＴＣカウンタ手段のカウント値に加えた値とＡＶ同期をとりながらＡＶデコードするＡＶデコード手段と、
前記ＡＶデコードされたＡＶデータを出力する出力手段とを備え、
前記出力されたＡＶデータは、前記マルチ画面で表示されることを特徴とするマルチチャンネル表示用データ作成装置。
【請求項２２】  ＡＶデータの映像を表示し、そのＡＶデータの音声をメインスピーカに出力する親画面と、ＡＶデータの映像を表示し、そのＡＶデータの音声を前記メインスピーカに出力しない子画面から構成されているマルチ画面に複数チャンネルのＡＶデータを表示するためのデータを作成するマルチチャンネル表示用データ作成装置であって、
前記複数チャンネルが属する所定の伝送単位毎に、同一のＰＣＲが付加されており、
トランスポートストリームのトランスポートパケットを利用して送られてくる、複数チャンネルのＡＶデータを入力する入力手段と、
前記複数チャンネルのうち、前記親画面及び前記子画面に表示するチャンネルが属する前記所定の伝送単位のＰＣＲを前記伝送単位毎に抽出する、前記マルチ画面の画面の数と同じ個数または前記マルチ画面に表示する前記複数チャンネルが属する前記所定の伝送単位の数である表示伝送単位数と同じ個数のＰＣＲ抽出手段と、
前記抽出されたＰＣＲを利用して、前記親画面に表示するチャンネルが属する前記所定の伝送単位とＰＬＬ同期をとる１個のＰＬＬ手段と、
前記ＰＬＬ手段の発信周波数で前記親画面に表示するチャンネルが属する前記所定の伝送単位の時刻をカウントする１個のＳＴＣカウンタ手段と、
前記子画面に表示するチャンネルが属する前記所定の伝送単位のＰＣＲが到着した際に、前記ＳＴＣカウンタ手段の値との差分を計算する差分計算手段と、
前記子画面に表示するチャンネルが属する前記所定の伝送単位に含まれるチャンネルのＡＶデータについては、そのＡＶデータのタイムスタンプの値を前記差分を差し引いた値に書き替えるタイムスタンプ書き替え手段と、
前記複数チャンネルのうち、前記親画面に表示するチャンネルが属する前記所定の伝送単位に含まれるチャンネルのＡＶデータについては、前記ＳＴＣカウンタ手段とＡＶ同期をとりながら、ＡＶデコードし、それ以外の前記子画面に表示するチャンネルのＡＶデータについては、前記書き替えられたタイムスタンプと前記ＳＴＣカウンタ手段とでＡＶ同期をとりながらＡＶデコードするＡＶデコード手段と、
前記ＡＶデコードされたＡＶデータを出力する出力手段とを備え、
前記出力されたＡＶデータは、前記マルチ画面で表示されることを特徴とするマルチチャンネル表示用データ作成装置。
【請求項２３】  前記ＰＣＲ抽出手段の個数は２個であることに代え、前記ＰＣＲ抽出手段の個数は１個であり、前記ＰＣＲ抽出手段は、前記複数チャンネルのうち、前記親画面に表示するチャンネルが属する前記所定の伝送単位のＰＣＲと、前記子画面のうち前記親画面の次候補となっている前記子画面に表示するチャンネルが属する前記所定の伝送単位のＰＣＲとを時分割で抽出することを特徴とする請求項１６または１８または１９に記載のマルチチャンネル表示用データ作成装置。
【請求項２４】  前記ＰＬＬ手段は、自らが有する発信器の発信周波数でカウントするカウンタを有し、前記ＰＣＲ抽出手段が最初に抽出した、ＰＬＬ同期をとるべきチャンネルが属する前記所定の伝送単位のＰＣＲの値と前記ＰＣＲ抽出手段がそのＰＣＲを抽出した時の前記カウンタのカウント値との第１の差分を求めて保持し、
前記ＰＣＲ抽出手段が２回目以降に抽出した、前記ＰＬＬ同期をとるべきチャンネルが属する前記所定の伝送単位のＰＣＲの値と前記ＰＣＲ抽出手段がそのＰＣＲを抽出した時の前記カウンタのカウント値との第２の差分を求め、
前記第１の差分と前記第２の差分との差が少なくなるように発振周波数を制御することを特徴とする請求項１４、１５、１７〜２３のいずれかに記載のマルチチャンネル表示用データ作成装置。
【請求項２５】  前記所定の伝送単位とは、トランスポートストリームであることを特徴とする請求項１３〜２４のいずれかに記載のマルチチャンネル表示用データ作成装置。
【請求項２６】  前記所定の伝送単位とは、放送局であることを特徴とする請求項１３〜２４のいずれかに記載のマルチチャンネル表示用データ作成装置。
【手続補正３】
【補正対象書類名】明細書
【補正対象項目名】０００１
【補正方法】変更
【補正の内容】
【０００１】
【発明の属する技術分野】
本発明は、複数チャンネルのＡＶデータを表示する複数画面から構成されているマルチ画面にＡＶデータを表示するためのデータを作成するマルチチャンネル表示用データ作成装置に関するものである。
【手続補正４】
【補正対象書類名】明細書
【補正対象項目名】００２５
【補正方法】変更
【補正の内容】
【００２５】
本発明は、上記課題を考慮し、回路規模が大きくないマルチチャンネル表示用データ作成装置を提供することを目的とするものである。
【手続補正５】
【補正対象書類名】明細書
【補正対象項目名】００５２
【補正方法】削除
【補正の内容】
【手続補正６】
【補正対象書類名】明細書
【補正対象項目名】００５３
【補正方法】削除
【補正の内容】
【手続補正７】
【補正対象書類名】明細書
【補正対象項目名】０１２６
【補正方法】変更
【補正の内容】
【０１２６】
すなわち、時分割ＰＣＲ抽出部１４が親画面６６に表示するチャンネルのＰＣＲを抽出している時、ＰＬＬ部１２も親画面６６に表示するチャンネルとＰＬＬ同期をとるので、ＳＴＣカウンタ１３は、親画面６６に表示する示するチャンネルの時刻を再現することになる。また、時分割ＰＣＲ抽出部１４が子画面６７〜６９のいずれかに表示するチャンネルのＡＶデータのＰＣＲを抽出している時、ＰＬＬ部１２も子画面６７〜６９のいずれかに表示するチャンネルとＰＬＬ同期をとるので、ＳＴＣカウンタ１３は、そのチャンネルの時刻を再現することになる。
【手続補正８】
【補正対象書類名】明細書
【補正対象項目名】０１２８
【補正方法】変更
【補正の内容】
【０１２８】
すなわち、ＡＶデコーダ３８は、親画面６６に表示するチャンネルのＡＶデータをＡＶ同期をとりながら処理している時は、それ以外のチャンネルのＡＶデータはフリーランで処理する。また、子画面６７〜６９のいずれかに表示するチャンネルのＡＶデータをＡＶ同期をとりながら処理している時は、親画面６６に表示するチャンネルを含むそれ以外のチャンネルはフリーランで処理する。
【手続補正９】
【補正対象書類名】明細書
【補正対象項目名】０１３２
【補正方法】変更
【補正の内容】
【０１３２】
なお、本実施の形態では、ＰＬＬ部１２は時分割ＰＣＲ抽出部１４がＰＣＲを抽出したチャンネルとＰＬＬ同期をとるとして説明したが、これに限らない。ＰＬＬ部１２は、常に親画面に表示するチャンネルとＰＬＬ同期をとる。すなわち、親画面に表示するチャンネルのクロックを再現するようにしても構わない。
【手続補正１０】
【補正対象書類名】明細書
【補正対象項目名】０１６２
【補正方法】変更
【補正の内容】
【０１６２】
第１の実施の形態と同様にして、時分割ＰＣＲ抽出部１４は、親画面６６、子画面６７〜６９に表示する各チャンネルのＰＣＲを時分割で抽出する。そして、ＰＬＬ部１２は、抽出された、親画面６６に表示するチャンネルのＰＣＲを使用して、親画面６６に表示するチャンネルとＰＬＬ同期をとる。
【手続補正１１】
【補正対象書類名】明細書
【補正対象項目名】０１７２
【補正方法】変更
【補正の内容】
【０１７２】
ＰＣＲ抽出部１１ａは、テレビ画面６５の親画面６６または親画面６６の次候補になっている子画面に表示するチャンネルのＡＶデータからＰＣＲを抽出する手段である。ＰＣＲ抽出部１１ｂは、テレビ画面６５の親画面６６または親画面６６の次候補になっている子画面に表示するチャンネルで、ＰＣＲ抽出部１１ａがＰＣＲを抽出しているＡＶデータのチャンネルでない方のチャンネルのＡＶデータのＰＣＲを抽出する手段である。
【手続補正１２】
【補正対象書類名】明細書
【補正対象項目名】０１９２
【補正方法】変更
【補正の内容】
【０１９２】
ＰＣＲ抽出部１１ａは、テレビ画面６５の親画面６６または親画面６６の次候補になっている子画面に表示するチャンネルのＡＶデータからＰＣＲを抽出する手段である。ＰＣＲ抽出部１１ｂは、テレビ画面６５の親画面６６または親画面６６の次候補になっている子画面に表示するチャンネルで、ＰＣＲ抽出部１１ａがＰＣＲを抽出しているＡＶデータのチャンネルでない方のチャンネルのＡＶデータのＰＣＲを抽出する手段である。
【手続補正１３】
【補正対象書類名】明細書
【補正対象項目名】０２４７
【補正方法】変更
【補正の内容】
【０２４７】
タイムスタンプ書き替え部１６は、差分計算部１５が保持している差分を利用して、子画面６７〜６９に表示するチャンネルのＡＶデータのタイムスタンプを、親画面６６に表示するチャンネルの時刻に換算し、書き替える手段である。
【手続補正１４】
【補正対象書類名】明細書
【補正対象項目名】０２５４
【補正方法】変更
【補正の内容】
【０２５４】
さらに、タイムスタンプ書き替え部１６は、差分計算部１５が保持している、子画面６７〜６９に表示する各チャンネルの差分を対応するＡＶデータのタイムスタンプの値から差し引いた値にタイムスタンプを書き替える。
【手続補正１５】
【補正対象書類名】明細書
【補正対象項目名】０２７０
【補正方法】変更
【補正の内容】
【０２７０】
さらに、ＰＣＲ抽出部１１ｂが２番目のＰＣＲを抽出すると、検出したＰＣＲ保持部８１は２番目に検出したＰＣＲ値を読み取り、保持する。同時にＰＣＲ抽出部１１ｂは、ＰＣＲを検出したタイミングで、ＰＣＲを検出したことを示すパルス信号を発生する。カウンタ値読み取り部８８は、このＰＣＲ検出パルスが送られてくると、そのタイミングで、カウンタ８７の示すカウント値を読み取る。そして、引き算器８２は、検出したＰＣＲ保持部８１に保持されているＰＣＲ値とカウンタ値読み取り部８８で読み取られたカウンタ値の差分を計算する。引き算器８５は差分値８３と初期値の差分値保持部８４に保持されている差分値との差分値を計算する。電圧制御発振器８６は、引き算器８５で計算した差分値の絶対値が小さくなるように、発振周波数を変更する。
【手続補正１６】
【補正対象書類名】明細書
【補正対象項目名】０２７１
【補正方法】変更
【補正の内容】
【０２７１】
さらに、ＰＣＲ抽出部１１ｂが３番目以降のＰＣＲを抽出すると、２番目の場合と同様の処理を行う。そして、引き算器８５は、３番目以降のＰＣＲに関する差分値８３と初期値の差分値保持部８４に保持されている差分値との差分値を計算する。電圧制御発振器８６は、引き算器８５で計算した差分値の絶対値が小さくなるように、発信周波数を変更する。
【手続補正１７】
【補正対象書類名】明細書
【補正対象項目名】０３０２
【補正方法】変更
【補正の内容】
【０３０２】
さらに、本発明のマルチチャンネル表示用データ作成装置の全部または一部の手段の全部または一部の機能をコンピュータにより実行させるためのプログラム及び／またはデータを担持した媒体であって、コンピュータにより処理可能なことを特徴とする媒体も発明に属する。
【手続補正１８】
【補正対象書類名】明細書
【補正対象項目名】０３０３
【補正方法】削除
【補正の内容】
【手続補正１９】
【補正対象書類名】明細書
【補正対象項目名】０３０４
【補正方法】変更
【補正の内容】
【０３０４】
さらに、発明のデータとは、データ構造、データフォーマット、データの種類などを含む。また、発明の媒体とは、ＲＯＭ等の記録媒体、インターネット等の伝送媒体、光・電波・音波等の伝送媒体を含む。また、発明の担持した媒体とは、例えば、プログラム及び／またはデータを記録した記録媒体、やプログラム及び／またはデータを伝送する伝送媒体等を含む。また、発明のコンピュータにより処理可能とは、例えば、ＲＯＭなどの記録媒体の場合であれば、コンピュータにより読みとり可能であることであり、伝送媒体の場合であれば、伝送対象となるプログラム及び／またはデータが伝送の結果として、コンピュータにより取り扱えることであることを含む。
【手続補正２０】
【補正対象書類名】明細書
【補正対象項目名】０３０６
【補正方法】変更
【補正の内容】
【０３０６】
【発明の効果】
以上説明したところから明らかなように、本発明は、回路規模が小さいマルチチャンネル表示用データ作成装置を提供することが出来る。